(57)【要約】【課題】　トラック荷台等の荷積み装置もしくは荷卸し装置としても利用でき、その他、ベルトコンベアやクレーン等の代わりとして荷を連続して移動することができるものとして、スライド板の往復運動を利用して効率よく荷を搬送できるものであり、装置自体は簡単でかつ、安価であり、しかも少人数の作業で十分安全に作業ができる。【解決手段】　底板１１上に往復運動するスライド板１２を設置し、また、このスライド板１２上へ、スライド板１２の往復運動の動きのうち、一方向、例えば復路方向ではスライド板１２のみが動き、往路方向へはスライド板１２と同期して移動する移動隔壁１９と、スライド板１２の往復運動の動きに全く無関係に固定する固定隔壁２０とを間隔を存して設け、移動隔壁１９を順次スライド板１２の前位置に移送し、この移動隔壁１９で荷Ａを往路方向へ移動させ、移動隔壁１９と固定隔壁２０とで荷Ａを押し圧する。【選択図】　　　　図１
2004075396.tif 000002
【特許請求の範囲】
【請求項１】
　底板上に往復運動するスライド板を設置し、また、このスライド板上へ、スライド板の往復運動の動きのうち、一方向、例えば復路方向ではスライド板のみが動き、往路方向へはスライド板と同期して移動する移動隔壁と、スライド板の往復運動の動きに全く無関係に固定する固定隔壁とを間隔を存して設け、移動隔壁と固定隔壁は相互に間隔を有して、荷の投入は固定隔壁から離れた移動隔壁側で行い、移動隔壁を順次スライド板の前位置に移送し、この移動隔壁で荷を往路方向へ移動させ、移動した荷と移動隔壁とを離し、その間に新たな荷を投入し、ある程度の荷が溜まったならば、移動隔壁は、スライド板の往復運動の動きのうち、一方向、例えば復路方向ではスライド板のみが動き、往路方向ではスライド板と同期して移動するものであることを利用して、スライド板に対して移動隔壁を相対的に往路方向に移動して、移動隔壁と固定隔壁の間隔を縮め、移動隔壁と固定隔壁間とで荷を押し圧することを特徴とするプレス可能な搬送荷役方法。
【発明の詳細な説明】
【技術分野】
【０００１】
　本発明は、トラック荷台等の荷積み装置もしくは荷卸し装置としても利用でき、その他、ベルトコンベアやクレーン等の代わりとして荷を連続して移動することができるプレス可能な搬送荷役方法に関するものである。
【背景技術】
【０００２】
　荷役装置の代表として、トラック荷台の荷卸し装置を例に取ると、従来のチップ荷卸しの方法は、図４に示すように荷台１自体をシリンダー２で傾斜するように昇降させる、いわゆるダンプ方式と、図５に示すように荷台１にシリンダー３により後方に移動する送り板４を設け、この送り板４で荷台１上のチップを後方へ押し出すようにしたものがある。
【０００３】
　さらには、図６に示すようにプラットホーム５、油圧装置６、シリンダー７、オーバーバン８、計量装置９で構成され、プラットホーム５は油圧装置６とシリンダー７の駆動によりチップ車を最大５５°まで傾斜し、荷卸しをするもので、形鋼および鋼板により枠組みされ、チップ車の荷卸しに対して十分な広さと強度を有し、その一端にはプラットホーム５の傾斜時にチップ車を支持するための強度な形鋼を使用した車止め装置バックストップ１０が取り付けられている。
【発明の開示】
【発明が解決しようとする課題】
【０００４】
　前記図４〜図６に示す従来方式で、図４に示す荷台１のダンプ方式は、荷台１のすべてのチップをスムーズかつ完全に排出するには一定以上の傾斜角度を出すことが要求されるが、シリンダー２では限界があり、また、荷台１が傾斜すると重心が移動した不安定な状態となる。
【０００５】
　図５に示す送り板方式の場合は、荷台１の端から端まで送り板４を移動させなければならないので、シリンダー３のストロークが問題で、特殊な多段シリンダーを用いなければならない。しかも、長さが長くなるに従い、この方法では搬送が出来ない場合が発生する。すなわち、送り板が移動しても荷の先端は何ら動くことがなく、そのことが圧力となって送り板直前の荷が上にあふれたり、側板が広がってしまう。また、シリンダー３自体を順次動かす方法もなくはないが、固定の方法が複雑となり、使い勝手も面倒である。
【０００６】
　しかも、送り板４はチップを後方へ押す力を備えるものとするため、シリンダー３には強力な推力が要求される。
【０００７】
　図６に示すプラットホーム５でチップ車全体を傾斜させる方法は、装置全体が大がかりなものとなり、このプラットホーム５での装置がある場所でなければ、荷卸し作業ができない。しかも、一連の作業の中で、オーバーバン８が開放したまま、次のチップ車が進入すると、受入れビンに落下するおそれがあり、また、バックストップ１０の上昇位置が適切でなかった場合にも落下し重大災害となる。
【０００８】
　本発明の目的は前記従来例の不都合を解消し、装置自体は簡単でかつ、安価であり、しかも少人数の作業で十分安全に、かつ、効率良く作業ができるプレス可能な搬送荷役方法を提供することにある。
【課題を解決するための手段】
【０００９】
　本発明は前記目的を達成するため、底板上に往復運動するスライド板を設置し、また、このスライド板上へ、スライド板の往復運動の動きのうち、一方向、例えば復路方向ではスライド板のみが動き、往路方向へはスライド板と同期して移動する移動隔壁と、スライド板の往復運動の動きに全く無関係に固定する固定隔壁とを間隔を存して設け、移動隔壁と固定隔壁は相互に間隔を有して、荷の投入は固定隔壁から離れた移動隔壁側で行い、移動隔壁を順次スライド板の前位置に移送し、この移動隔壁で荷を往路方向へ移動させ、移動した荷と移動隔壁とを離し、その間に新たな荷を投入し、ある程度の荷が溜まったならば、移動隔壁は、スライド板の往復運動の動きのうち、一方向、例えば復路方向ではスライド板のみが動き、往路方向ではスライド板と同期して移動するものであることを利用して、スライド板に対して移動隔壁を相対的に往路方向に移動して、移動隔壁と固定隔壁の間隔を縮め、移動隔壁と固定隔壁間とで荷を押し圧することを要旨とするものである。
【００１０】
　請求項１記載の本発明によれば、底板として往復運動するスライド板を設置し、また、このスライド板上へ荷を載置するものであり荷はスライド板とともに往復運動しようとする。そしてこのような荷がスライド板とともに移動する往復運動の動きのうち、スライド板上への荷の投入部を形成する隔壁が一方向、例えば復路方向への動きを規制し、復路方向への動きのみを許容する。これにより、スライド板上に投入する荷を順次復路方向へ送り続けることができ、また、荷を搬送するだけでなく、搬送した荷にさらにプレスを行うことも可能となる。
【００１１】
　なお、スライド板の前後動にシリンダーを使用するとしても、そのストロークは小さなものでよく、隔壁板もチップを押し出すものではないので、それ自体もそれほど頑強なものでなくてもよい。
【発明の効果】
【００１２】
　以上述べたように本発明のプレス可能な搬送荷役方法は、トラック荷台等の荷積み装置もしくは荷卸し装置としても利用でき、その他、ベルトコンベアやクレーン等の代わりとして荷を連続して移動することができるものとして、スライド板の往復運動を利用して効率よく荷を搬送できるものであり、装置自体は簡単でかつ、安価であり、しかも少人数の作業で十分安全に作業ができるものである。
【発明を実施するための最良の形態】
【００１３】
　以下、図面について本発明の実施の形態を詳細に説明する。図１は本発明のプレス可能な搬送荷役装置の１実施形態の第１〜５工程の説明図で、図中１１は底板を示す。この底板１１は本発明装置をトラック荷台に設置する場合には荷台の底板になる。
【００１４】
　底板１１上にスライド板１２を往復運動するように設置した。スライド板１２は鋼板やステンレス板等で作製し、底板１１とほぼ同幅かそれよりも幅広で、かつ、底板１１よりも長いものとする。スライド板１２を往復運動する機構としてはモーター駆動等も可能であるが、好適なものとしては油圧またはエアーのシリンダー１３による。
【００１５】
　本実施形態は移動隔壁１９と固定隔壁２０の２つの隔壁をスライド板１２上に設けた。移動隔壁１９は、スライド板１２の往復運動の動きのうち、一方向、例えば復路方向αではスライド板１２のみが動き、往路方向βではスライド板１２と同期して移動するものである。また、固定隔壁２０はスライド板の往復運動の動きに全く無関係に固定するものである。なお、当初、移動隔壁１９と固定隔壁２０は相互に間隔を有するものであり、荷Ａの投入は固定隔壁２０から離れた移動隔壁１９側で行うものとする。
【００１６】
　また、移動隔壁１９をスライド板１２と同期して移動させる機構としては、スライド板１２の往復運動をシリンダー１３で行う場合は、往路方向βに対してはこのシリンダー１３の伸長速度と同じ速度で移動隔壁１９を移動させる手段、例えば別のシリンダーを設けてこれで移動隔壁１９を押し出すことや回動する無端チエーンとそのチエーンへの係脱手段により、適宜移動隔壁１９を回動する無端チエーンで牽引する方法、アンテナ状の伸びるテレスコ式多段シリンダーを使用する方法などが考えられる。このテレスコ式多段シリンダーは油の流れを止めることで長さがそこで保持され、移動隔壁１９を止めることが可能となる。
【００１７】
　なお、ポンプ駆動せずに、油タンクから直結することで単に隔壁によって長くなったり、短くなったりする様な使い方の有効で、その際も、油の流れを止めることで長さも保持される。
【００１８】
　図１の最上段に示すように、移動隔壁１９に接して荷Ａがスライド板１２上に置かれ、次いで、スライド板１２と移動隔壁１９が往路方向βに移動し、その分荷Ａも往路方向βに移動する。次に、移動隔壁１９を残してスライド板１２のみを復路方向αに移動し、再度スライド板１２と移動隔壁１９を往路方向βに移動すれば、さらにその分荷Ａも往路方向βに移動する。この状態から移動隔壁１９を残してスライド板１２のみを復路方向αに移動する。
【００１９】
　なお、移動した荷Ａと移動隔壁１９とを離し、その間に新たな荷Ａを投入する場合には、荷Ａを残して移動隔壁１９のみを復路方向αに移動する必要がある。これは移動隔壁１９のみを固定してスライド板１２だけを往路方向βに移動することで移動隔壁１９から荷Ａを離す方法や、さらに積極的に移動隔壁１９を復路方向αに移動できるような機構を設けることによる。
【００２０】
　図２に示すように荷Ａと移動隔壁１９とを離し、その間に新たな荷Ａを配設する。
【００２１】
　このようにしてある程度の数の荷Ａが溜まったならば、さらに、図３に示すように、移動隔壁１９は、スライド板１２の往復運動の動きのうち、一方向、例えば復路方向αではスライド板１２のみが動き、往路方向βではスライド板１２と同期して移動するものであることを利用して、スライド板１２に対して移動隔壁１９を相対的に往路方向βに移動すれば、移動隔壁１９と固定隔壁２０の間隔は縮まり、移動隔壁１９と固定隔壁２０間で荷Ａのプレスを行うことができる。
【図面の簡単な説明】
【００２２】
【図１】本発明のプレス可能な搬送荷役方法の１実施形態を示す第１〜第５工程の説明図である。
【図２】本発明のプレス可能な搬送荷役方法の１実施形態を示す第６，７工程の説明図である。
【図３】本発明のプレス可能な搬送荷役方法の１実施形態を示す第８〜１０工程の説明図である。
【図４】従来例の第１例を示す側面図である。
【図５】従来例の第２例を示す側面図である。
【図６】従来例の第３例を示す側面図である。
【符号の説明】
【００２３】
　１…荷台　　　　　　　２…シリンダー
　３…シリンダー　　　　４…送り板
　５…プラットホーム　　６…油圧装置
　７…シリンダー　　　　８…オーバーバン
　９…計量装置　　　　　１０…バックストップ
　１１…底板　　　　　　１２…スライド板
　１３…シリンダー　　　１４…投入部
　１５…隔壁　　　　　　１６…定量送り込み装置
　１７…蓋　　　　　　　１８…打撃装置
　１９…移動隔壁　　　　２０…固定隔壁
　２１…復位装置
【図１】
2004075396.tif 000003
【図２】
2004075396.tif 000004
【図３】
2004075396.tif 000005
【図４】
2004075396.tif 000006
【図５】
2004075396.tif 000007
【図６】
2004075396.tif 000008